(57)【要約】【課題】  接続部の湾曲に方向性がなくなることにより、取付作業を作業性よく行うとができ、接続部の強度を低下させないようにした留め具を提供する。【解決手段】  頭部１２と、この頭部１２に下側へ突出させて設けられた接続部１４と、この接続部１４に下側へ突出させて設けられた脚部１５と、この脚部１５に側方へ突出させて設けられた係合部１６とを一体成形した留め具１１において、接続部１４を、弾性変形可能な略円柱形状にする。【選択図】    図１
2006071060.tif 000002
【特許請求の範囲】
【請求項１】
頭部と、この頭部に下側へ突出させて設けられた接続部と、この接続部に下側へ突出させて設けられた脚部と、この脚部に側方へ突出させて設けられた係合部とを一体成形した留め具において、
前記接続部を、弾性変形可能な略円柱形状にした、
ことを特徴とする留め具。
【請求項２】
請求項１に記載の留め具において、
前記接続部と前記頭部または前記脚部との接合部分を、前記接続部側から前記頭部側または前記脚部側へ徐々に外径が大きくなるように形成した、
ことを特徴とする留め具。
【請求項３】
請求項１または請求項２に記載の留め具において、
前記頭部に、前記脚部が当接することによって前記接続部が過度に湾曲変形するのを規制する湾曲規制部分を設けた、
ことを特徴とする留め具。
【発明の詳細な説明】
【技術分野】
【０００１】
この発明は、例えば、車両の後部座席にヘッドレストをオプションとして取り付けるための挿入孔を、閉塞するために使用する留め具に関するものである。
【背景技術】
【０００２】
上記した留め具として、頭部と、この頭部に下側へ突出させて設けられた弾性変形可能な接続部と、この接続部に下側へ突出させて設けられた脚部と、この脚部に側方へ突出させて設けられた係合部とを一体成形したものが提案されている。
【特許文献１】実公平２−３１６３１号公報
【０００３】
この留め具は、ヘッドレスト取付具の円筒部に設けられている挿入孔の軸線と、ヘッドレスト取付具のフランジ部の上面とが直交していなくとも、挿入孔内へ脚部、係合部および接続部を挿入して係合部を円筒部の内周面に係合させるとともに、接続部を湾曲させることにより、挿入孔を閉塞することができる。
【発明の開示】
【発明が解決しようとする課題】
【０００４】
しかしながら、上記した従来の留め具は、接続部の平断面形状が長方形とされているので、接続部の湾曲方向に方向性があるため、接続部の湾曲方向を確認しながら挿入孔内へ接続部などを挿入しなければならず、取付作業を作業性よく行うことができなかった。
また、接続部に水平方向へ延びる凹部が設けられているので、この凹部によって接続部の強度が低下していた。
【課題を解決するための手段】
【０００５】
この発明は、以下のような発明である。
（１）頭部と、この頭部に下側へ突出させて設けられた接続部と、この接続部に下側へ突出させて設けられた脚部と、この脚部に側方へ突出させて設けられた係合部とを一体成形した留め具において、前記接続部を、弾性変形可能な略円柱形状にしたことを特徴とする。
（２）（１）に記載の留め具において、前記接続部と前記頭部または前記脚部との接合部分を、前記接続部側から前記頭部側または前記脚部側へ徐々に外径が大きくなるように形成したことを特徴とする。
（３）（１）または（２）に記載の留め具において、前記頭部に、前記脚部が当接することによって前記接続部が過度に湾曲変形するのを規制する湾曲規制部分を設けたことを特徴とする。
【発明の効果】
【０００６】
この発明によれば、接続部を、弾性変形可能な略円柱形状にしたので、接続部の湾曲に方向性がなくなることにより、取付作業を作業性よく行うとができる。
また、接続部には断面積を減少させるものが設けられていないので、接続部の強度が低下しなくなる。
そして、接続部と頭部または脚部との接合部分を、接続部側から頭部側または脚部側へ徐々に外径が大きくなるように形成したので、接続部の湾曲によって接合部分に亀裂が発生するのを防止することができ、耐久性が向上する。
さらに、頭部に、脚部が当接することによって接続部が過度に変形するのを規制する湾曲規制部分を設けたので、接続部の湾曲を規制して接続部の損傷を防止することができ、耐久性が向上する。
【発明を実施するための最良の形態】
【０００７】
以下、この発明の実施例を図に基づいて説明する。
図１はこの発明の第１実施例である留め具を下側から見た斜視図、図２はこの発明の第１実施例である留め具の正面図、図３はこの発明の第１実施例である留め具の平面図、図４はこの発明の第１実施例である留め具の底面図、図５はこの発明の第１実施例である留め具の右側面図、図６は図２のＡ−Ａ線による断面図である。
なお、留め具の裏面図は正面図と同じになり、また、留め具の左側面図は右側面図と同じになる。
【０００８】
これらの図において、１１は合成樹脂製の留め具を示し、頭部１２と、この頭部１２に下側へ突出させて設けられた、弾性変形可能な円柱形状の接続部１５と、この接続部１５に下側へ突出させて設けられた、円柱の対向する部分を軸方向へ切断した平面視Ｉカット状の視脚部１６と、この脚部１６の円弧面に側方へ対向させ、上側へ拡開するように突出させて設けられた複数の係合部１７とを一体成形して構成されている。
【０００９】
上記した頭部１２は、平面視円形で、側面視球の極付近を切断した形状の頭部フランジ１３と、この頭部フランジ１３に下側へ突出させて設けられ、脚部１６が当接することによって接続部１５が過度に湾曲変形するのを規制する円柱形状の湾曲規制部分１４が設けられている。
そして、湾曲規制部分１４の下側に、接続部１５が設けられている。
【００１０】
上記した接続部１５の湾曲規制部分１４との接合部分１５ａは、接続部１５側から湾曲規制部分１４側へ徐々に外径が大きくなるように形成され、また、接続部１５の脚部１６との接合部分１５ｂは、接続部１５側から脚部１６側へ徐々に外径が大きくなるように形成されている。
なお、各部は、中心線が同一直線上に位置するように連設されている。
【００１１】
図７はこの発明の第２実施例である留め具を下側から見た斜視図、図８はこの発明の第２実施例である留め具の正面図、図９はこの発明の第２実施例である留め具の平面図、図１０はこの発明の第２実施例である留め具の底面図、図１１はこの発明の第２実施例である留め具の右側面図、図１２は図８のＡ−Ａ線による断面図、図１３は図８のＢ−Ｂ線による断面図である。
なお、留め具の裏面図は正面図と同じになり、また、留め具の左側面図は右側面図と同じになる。
【００１２】
これらの図において、１１Ａは合成樹脂製の留め具を示し、頭部１２Ａと、この頭部１２Ａに下側へ突出させて設けられた、弾性変形可能な円柱形状の接続部１５と、この接続部１５に下側へ突出させて設けられた脚部１６Ａと、この脚部１６Ａに側方へ対向させ、上側へ拡開するように突出させて設けられた複数の係合部１７とを一体成形して構成されている。
【００１３】
上記した頭部１２Ａは、平面視円形で、側面視球の極付近を切断した形状の頭部フランジ１３と、この頭部フランジ１３に下側へ突出させて設けられ、脚部１６Ａが当接することによって接続部１５が過度に湾曲変形するのを規制する円柱形状の湾曲規制部分１４Ａが設けられている。
そして、湾曲規制部分１４Ａの上端部分には、円周方向へ９０度分割で、４つの肉抜き凹部１４ａが頭部フランジ１３に接して設けられている。
なお、湾曲規制部分１４Ａの下側に、接続部１５が設けられている。
【００１４】
上記した接続部１５の湾曲規制部分１４Ａとの接合部分１５ａは、接続部１５側から湾曲規制部分１４Ａ側へ徐々に外径が大きくなるように形成され、また、接続部１５の脚部１６Ａとの接合部分１５ｂは、接続部１５側から脚部１６Ａ側へ徐々に外径が大きくなるように形成されている。
【００１５】
上記した脚部１６Ａには、係合部１７が設けられていない対向する平面に、それぞれ肉抜き凹部１６ａが設けられている。
なお、各部は、中心線が同一直線上に位置するように連設されている。
【００１６】
図１４はこの発明の第１実施例である留め具の使用状態を示す説明図、図１５は図１４の要部を拡大した説明図である。
【００１７】
図１４または図１５において、２１は乗用自動車の後部座席を示し、後述するヘッドレスト取付具３１を取り付けるための、係止段部２２ａを有した取付穴２２が、後側へ、例えば、傾斜角２０度で下降する上端面に上下方向に設けられている。
３１はヘッドレスト取付具を示し、外径が取付穴２２の内径とされた円筒部３２と、この円筒部３２の上端外周に円筒部３２の軸と７０度（１１０度）で交差するフランジ部３４とで構成されている。
そして、円筒部３２の下端部分の外周に、取付穴２２の係止段部２２ａに係合する係合爪３３が設けられている。
３５はヘッドレスト取付具３１に設けられている、アームレストのポールが挿入される挿入孔を示す。
【００１８】
次に、ヘッドレスト取付具３１の後部座席２１への取付について説明する。
まず、後部座席２１の取付穴２２の延長上に係合爪３３を下側にしてヘッドレスト取付具３１を位置させるとともに、後部座席２１の上端面の傾斜にフランジ部３４の傾斜を一致させる。
次に、係合爪３３側から取付穴２２内へヘッドレスト取付具３１を圧入させると、係合爪３３で押されることにより、取付穴２２の周囲が一時的に自身の弾性によって拡開するので、係合爪３３および円筒部３２を取付穴２２内へ圧入させることができる。
そして、フランジ部３４が後部座席２１の上端面に当接する状態になるまで係合爪３３および円筒部３２を取付穴２２内へ圧入すると、係合爪３３が係止段部２２ａに係合することにより、ヘッドレスト取付具３１を後部座席２１から外れないように取り付けることができる。
【００１９】
次に、留め具１１のヘッドレスト取付具３１への取付について説明する。
まず、図１４に示すように、ヘッドレスト取付具３１の挿入孔３５の延長線上に脚部１６を下側にして留め具１１を位置させる。
次に、脚部１６側から挿入孔３５内へ留め具１１を圧入させると、係合部１７が円筒部３２の内面で押されることによって内側へ撓むことにより、脚部１６および係合部１７を挿入孔３５内へ圧入させることができる。
そして、頭部フランジ１３の一部がフランジ部３４に当接すると、接続部１５が湾曲することにより、図１５に示すように、頭部フランジ１３全体がフランジ部３４に当接して挿入孔３５を閉塞する状態まで脚部１６および係合部１７を挿入孔３５内へ圧入させることができる。
このように脚部１６および係合部１７を挿入孔３５内へ圧入させると、係合部１７が自身の弾性で挿入孔３５の内面に係合することにより、留め具１１をヘッドレスト取付具３１から外れないように取り付けることができる。
【００２０】
なお、留め具１１をヘッドレスト取付具３１から取り外す場合は、頭部フランジ１３とフランジ部３４との間へ爪または適当な工具を挿入して留め具１１を持ち上げることにより、留め具１１をヘッドレスト取付具３１から取り外すことができる。
そして、第２実施例の留め具１１Ａのヘッドレスト取付具３１への取付およびヘッドレスト取付具３１からの取り外しは、第１実施例の留め具１１のヘッドレスト取付具３１への取付およびヘッドレスト取付具３１からの取り外しと同じになるので、その説明を省略する。
【００２１】
上述したように、この発明の第１および第２実施例によれば、接続部１５を、弾性変形可能な略円柱形状にしたので、接続部１５の湾曲に方向性がなくなることにより、取付作業を作業性よく行うとができる。
また、接続部１５には断面積を減少させるものが設けられていないので、接続部１５の強度が低下しなくなる。
そして、接続部１５と頭部１２，１２Ａ（湾曲規制部分１４，１４Ａ）および脚部１６，１６Ａとの接合部分１５ａ，１５ｂを、接続部１５側から頭部１２，１２Ａ（湾曲規制部分１４，１４Ａ）側または脚部１６，１６Ａ側へ徐々に外径が大きくなるように形成したので、接続部１５の湾曲によって接合部分１５ａ，１５ｂに亀裂が発生するのを防止することができ、耐久性が向上する。
さらに、頭部１２，１２Ａに、脚部１６，１６Ａが当接することによって接続部１５が過度に変形するのを規制する湾曲規制部分１４，１４Ａを設けたので、接続部１５の湾曲を規制して接続部１５の損傷を防止することができ、耐久性が向上する。
【００２２】
そして、第２実施例によれば、湾曲規制部分１４Ａの頭部フランジ１３に接する部分に肉抜き凹部１４ａを設けたので、成形後のヒケを少なくする（殆どなくす）ことができることにより、頭部フランジ１３の外表面を綺麗に仕上げることができる。
また、脚部１６Ａに肉抜き凹部１６ａを設けたので、成形後のヒケを少なくする（殆どなくす）ことができることにより、係合部１７の係合力を所期の値にすることができる。
【００２３】
上記した実施例では、接続部１５を円柱形状とした例で説明したが、接続部は全方位に対して同等な湾曲性を有していればよいので、円柱形状に近似した形状である略円柱形状（例えば、正八角形以上の正多角形）であればよい。
【図面の簡単な説明】
【００２４】
【図１】この発明の第１実施例である留め具を下側から見た斜視図である。
【図２】この発明の第１実施例である留め具の正面図である。
【図３】この発明の第１実施例である留め具の平面図である。
【図４】この発明の第１実施例である留め具の底面図である。
【図５】この発明の第１実施例である留め具の右側面図である。
【図６】図２のＡ−Ａ線による断面図である。
【図７】この発明の第２実施例である留め具を下側から見た斜視図である。
【図８】この発明の第２実施例である留め具の正面図である。
【図９】この発明の第２実施例である留め具の平面図である。
【図１０】この発明の第２実施例である留め具の底面図である。
【図１１】この発明の第２実施例である留め具の右側面図である。
【図１２】図８のＡ−Ａ線による断面図である。
【図１３】図８のＢ−Ｂ線による断面図である。
【図１４】この発明の第１実施例である留め具の使用状態を示す説明図である。
【図１５】図１４の要部を拡大した説明図である。
【符号の説明】
【００２５】
１１    留め具
１１Ａ  留め具
１２    頭部
１２Ａ  頭部
１３    頭部フランジ
１４    湾曲規制部分
１４Ａ  湾曲規制部分
１４ａ  肉抜き凹部
１５    接続部
１５ａ  接合部分
１５ｂ  接合部分
１６    脚部
１６Ａ  脚部
１６ａ  肉抜き凹部
１７    係合部
２１    後部座席
２２    取付穴
２２ａ  係止段部
３１    ヘッドレスト取付具
３２    円筒部
３３    係合爪
３４    フランジ部
３５    挿入孔
【図１】
2006071060.tif 000003
【図２】
2006071060.tif 000004
【図３】
2006071060.tif 000005
【図４】
2006071060.tif 000006
【図５】
2006071060.tif 000007
【図６】
2006071060.tif 000008
【図７】
2006071060.tif 000009
【図８】
2006071060.tif 000010
【図９】
2006071060.tif 000011
【図１０】
2006071060.tif 000012
【図１１】
2006071060.tif 000013
【図１２】
2006071060.tif 000014
【図１３】
2006071060.tif 000015
【図１４】
2006071060.tif 000016
【図１５】
2006071060.tif 000017